(57)【要約】  椅子は、底部上に据えられた台座（１）と、台座上に載せられた機械部分（２）と、機械部分（２）上に置かれた座席部分（３）と、機械部分（２）に固定された背もたれ（７）とを有する。背もたれ（７）は、背面板（６２）を備えた弾力的に変形可能な背もたれ部分（６）を支える背もたれフレーム（５）を有する。背面板（６２）は、ヘッドレスト（６１）を接続するための背面部分（６０）を有する。背もたれ（７）は、第一の回転軸（Ｄ１）の周りを、ほぼ直立した中立位置から後方を倒れた傾斜位置にまで旋回可能である。座席部分（３）と背もたれ（７）の動きは、互いに同期している。傾斜位置の方向に力を加えることにより、背面部分が、ほぼ使用者の背中に対して窪んだ曲線傾向を持つ形で背もたれフレーム（５）との間の自由空間内に弾力的に変形する際に、背面部分（６０）のヘッドレスト（６１）への遷移ゾーンとしての肩領域とヘッドレスト（６１）を逆方向に起き上がらせる手段（５３，６７，Ｄ４；５５，６１０，Ｄ５）が配備される。
2009509592.tif 000002
【特許請求の範囲】
【請求項１】
ａ）底部上に据えられた台座（１）と、
ｂ）台座（１）上に載せられた機械部分（２）と、
ｃ）機械部分（２）上に置かれた座席部分（３）と、
ｄ）機械部分（２）に固定された背もたれ（７）と、
を備えた椅子であって、この背もたれが、
ｄａ）背面板（６２）を備えた弾力的に変形可能な背もたれ部分（６）を支える背もたれフレーム（５）を有し、背面板（６２）が、ヘッドレスト（６１）を接続するための背面部分（６０）を有するとともに、
ｄｂ）第一の回転軸（Ｄ１）の周りを、ほぼ直立した中立位置（Ｂ0 ）から後方に倒れた傾斜位置（Ｂ1 ）にまで旋回可能であり、座席部分（３）と背もたれ（７）の動きが、互いに同期している、
椅子において、
ｅ）傾斜位置（Ｂ1 ）の方向に力（Ｆ）を加えることにより、背面部分（６０）が、ほぼ使用者の背中に対して窪んだ曲線傾向を持つ形で背もたれフレーム（５）との間の自由空間内に弾力的に変形する際に、背面部分（６０）のヘッドレスト（６１）への遷移ゾーンとしての肩領域とヘッドレスト（６１）を逆方向に起き上がらせるための手段（５３，６７，Ｄ４；５５，６１０，Ｄ５）が配備されていることを特徴とする椅子。
【請求項２】
ａ）背面部分（６０）と背面板（６２）のヘッドレスト（６１）は、互いに一体的に遷移し、
ｂ）ヘッドレスト（６１）は、背面部分（６０）に繋がる下方の第一のヘッド区間（６１１）と上方の第二のヘッド区間（６１２）とに区分され、第一のヘッド区間（６１１）は、第二のヘッド区間（６１２）の隣接部分と共に首領域（６１３）を構成し、
ｃ）首領域（６１３）には、第四のドッキング部分（６１０）が配備されており、
ｄ）背面部分（６０）は、首領域（６１３）に繋がる上方の第一の背面区間（６０１）と下方の第二の背面区間（６０２）とに区分され、第二の背面区間（６０２）は、第一の背面区間（６０１）の隣接部分と共に腰領域（６０３）を構成し、
ｅ）腰領域（６０３）には、第二のドッキング部分（６７）が配備されている、
ことを特徴とする請求項１に記載の椅子。
【請求項３】
ａ）腰領域（６０３）の高さレベルに在り、第二のドッキング部分（６７）と接続される第一のドッキング部分（５３）を備えた第一の鋳造部品（５４３）を蝶着させるための第四の回転軸（Ｄ４）と、
ｂ）首領域（６１３）の高さレベルに在り、第四のドッキング部分（６１０）と接続される第三のドッキング部分（５５）を備えた第二の鋳造部品（５６３）を蝶着させるための第五の回転軸（Ｄ５）と、
が、背もたれフレーム（５）を通って延びていることを特徴とする請求項１又は２に記載の椅子。
【請求項４】
背もたれフレーム（５）は、弾力性が無く、
ａ）それぞれ下方端部に延長部（５０）を備えた二つの側方ブレース（５１）と、
ｂ）側方ブレース（５１）の間の接続部分と、
から構成され、この接続部分は、
ｂａ）延長部（５０）の近くに配置された横方向バー（５２）と、
ｂｂ）第一の鋳造部品（５４３）を蝶着された第四の回転軸（Ｄ４）が中を通って延びる中央の横方向ブレース（５４）と、
ｂｃ）第二の鋳造部品（５６３）を蝶着された第五の回転軸（Ｄ５）が中を通って延びる上方の横方向ブレース（５６）と、
から構成されることを特徴とする請求項１から３までのいずれか一つに記載の椅子。
【請求項５】
ａ）横方向バー（５２）が、それぞれ対応する側方ブレース（５１）から延びるソケット（５２０）と、互いに向き合った両方のソケット（５２０）に差し込まれる橋架部材（５２１）とから構成され、
ｂ）中央の横方向ブレース（５４）が、それぞれ対応する側方ブレース（５１）から延びるソケット（５４０）と、互いに向き合った両方のソケット（５４０）に差し込まれるとともに、第一の鋳造部品（５４３）を支える軸棒（５４１）とから構成され、
ｃ）上方の横方向ブレース（５６）が、それぞれ対応する側方ブレース（５１）から延びるソケット（５６０）と、互いに向き合った両方の延長部（５６０）に差し込まれるとともに、第二の鋳造部品（５６３）を支える軸棒（５６１）とから構成される、
ことを特徴とする請求項１から４までのいずれか一つに記載の椅子。
【請求項６】
ロック機構（５３１，６７１；５５１，５５２）を用いて取り外し可能な形で、第一のドッキング部分（５３）が第二のドッキング部分（６７）と互いに接続され、第三のドッキング部分（５５）が第四のドッキング部分（６１０）と互いに接続されていることを特徴とする請求項１から５までのいずれか一つに記載の椅子。
【請求項７】
ａ）第一のドッキング部分（５３）と第三のドッキング部分（５５）が、差込部材として実現されており、
ｂ）第二のドッキング部分（６７）と第四のドッキング部分（６１０）が、背面板（６２）の裏側（６０８）から延びるスリーブ部材として実現されている、
ことを特徴とする請求項１から６までのいずれか一つに記載の椅子。
【請求項８】
ａ）表側（６０７）の背面板（６２）の下方領域に、垂直にスライド可能な腰当て（６５）が配置されており、
ｂ）背面板（６２）の裏側（６０８）には、補強リブ（６０９）と、腰当て（６５）を調整するための調整レバー（６４）を収容するための区画（６６）とが配備されており、
ｃ）背面板（６２）の表側（６０７）には、腰当て（６５）を案内するための垂直なスロット（６０６）が在り、垂直なスロット（６０６）は、補強リブ（６０９）の推移に追従して、腰領域（６０３）の上方に延びている、
ことを特徴とする請求項１から７までのいずれか一つに記載の椅子。
【請求項９】
ａ）機械部分（２）は、台座（１）上に載せられ固定されたベース部分（２０）と、ベース部分（３０）と接続された座席部分支持体（２１）とから構成され、
ｂ）座席部分支持体（２１）は、
ｂａ）固定された第一の回転軸（Ｄ１）と、
ｂｂ）座席部分の後縁（３１）の方を向いた動く第二の回転軸（Ｄ２）と、
ｂｃ）座席部分の前縁（３０）の方を向いた動く第三の回転軸（Ｄ３）と、
の上で、ベース部分（２０）と接続されており、
ｃ）背もたれフレーム（５）の延長部（５０）は、それぞれ一方の側を第一の回転軸（Ｄ１）と他方の側を第二の回転軸（Ｄ２）と蝶着されたフレーム接続部（２２）に固定されており、
ｄ）機械部分（２）内では、ばね構造群（２１１）が、背もたれ（７）を直立した中立位置（Ｂ0 ）に保持するように作用する付勢力を生成する、
ことを特徴とする請求項１から８までのいずれか一つに記載の椅子。
【請求項１０】
ａ）背面板（６２）は、プラスチックから構成されており、
ｂ）背面板（６２）の腰領域（６０３）は、ほぼ使用者を包み込む曲線傾向を持つ外側側面を有し、
ｃ）ヘッドレスト（６１）は、その垂直断面において、ほぼ使用者に対して窪んだ曲線傾向を持つ湾曲部を有し、
ｄ）第五の回転軸（Ｄ５）は、座席部分の前縁（３０）の方向に対して、ヘッドレスト（６１）の上縁の前で、かつ第四の回転軸（Ｄ４）の前に在る、
ことを特徴とする請求項１から９までのいずれか一つに記載の椅子。
【請求項１１】
ａ）背面板（６２）は、被覆部（６８）、有利には、プラスチックから成る発泡体により取り囲まれており、
ｂ）被覆部（６８）は、カバー（６９，６９’）により覆われており、
ｃ）ヘッドレスト（６１）用のカバー（６９’）は、有利には、取り外して交換可能な部分として存在する、
ことを特徴とする請求項１から１０までのいずれか一つに記載の椅子。
【発明の詳細な説明】
【技術分野】
【０００１】
この発明は、底部上に台座を据え、台座上に機械部分を載せ、機械部分上に座席部分を置き、機械部分に背もたれを固定した種類の椅子に関する。背もたれは、背面板を備えた弾力的に変形可能な背もたれ部分を支える背もたれフレームを有し、その際背面板は、ヘッドレストを接続するための背面部分を有する。背もたれは、第一の回転軸の周りをほぼ直立した中立位置から後方に倒れた傾斜位置にまで旋回することが可能である。台座と背もたれの動きは、互いに同期している。
【背景技術】
【０００２】
前述した種類の椅子は、例えば、特許文献１に開示されている。
【特許文献１】欧州特許第１０３９８１６号明細書
【発明の開示】
【発明が解決しようとする課題】
【０００３】
これまでに周知の従来技術をベースとして、この発明の課題は、完全に人間工学的な機能を備えた、冒頭に規定した種類の椅子を提案することである。特に、背もたれが、後方に動いた傾斜位置に在る場合に、使用者の肩領域と頭の支えを改善するものである。
【課題を解決するための手段】
【０００４】
この椅子は、底部上に据えられた台座と、台座上に載せられた機械部分と、機械部分上に置かれた座席部分と、機械部分に固定された背もたれとを有する。背もたれは、背面板を備えた弾力的に変形可能な背もたれ部分を支える背もたれフレームを有する。背面板は、ヘッドレストを接続するための背面部分を有する。背もたれは、第一の回転軸の周りをほぼ直立した中立位置から後方に倒れた傾斜位置にまで旋回することが可能である。台座と背もたれの動きは、互いに同期している。傾斜位置の方向に力を加えることにより、背面部分が、ほぼ使用者の背中に対して窪んだ曲線傾向を持つ形で背もたれフレームとの間の自由空間内に弾力的に変形する際に、背面部分のヘッドレストへの遷移ゾーンとしての肩領域とヘッドレストを逆方向に起き上がらせるための手段が配備される。
【０００５】
以下の特徴は、この発明の特別な実施形態に関する。背もたれ部分と背面板のヘッドレストは、互いに一体的に遷移する。ヘッドレストは、背面部分に繋がる下方の第一のヘッド区間と上方の第二のヘッド区間とに区分され、その場合第一のヘッド区間は、第二のヘッド区間の隣接部分と共に首領域を構成する。首領域には、第四のドッキング部分が配備される。背面部分は、首領域に繋がる上方の第一の背面区間と下方の第二の背面区間とに区分され、その場合第二の背面区間は、第一の背面区間の隣接部分と共に腰領域を構成する。腰領域には、第二のドッキング部分が配備される。
【０００６】
先ずは、腰領域の高さレベルに在り、第一のドッキング部分を備えた第一の鋳造部品を蝶着するための第四の回転軸が、背もたれフレームを通って延びており、それにより第一のドッキング部分が、第二のドッキング部分と接続される。更に、首領域の高さレベルに在り、第三のドッキング部分を備えた第二の鋳造部品を蝶着するための第五の回転軸が、背もたれフレームを通って延びており、それにより第三のドッキング部分が、第四のドッキング部分と接続される。背もたれフレームは、弾力性が無く、それぞれ下方端部に延長部を備えた二つの側方ブレースと側方ブレースの間の接続部分とから構成される。第一の接続部分は、延長部の近くに配置された横方向バーである。第二の接続部分は、中央の横方向ブレースであり、そこを通って、第一の鋳造部品を蝶着した第四の回転軸が延びている。第三の接続部分は、上方の横方向ブレースであり、そこを通って、第二の鋳造部品を蝶着された第五の回転軸が延びている。
【０００７】
横方向バーは、それぞれ対応する側方ブレースから延びるソケットと、互いに向き合った二つのソケットに差し込まれる橋架部材とから構成される。中央の横方向ブレースは、それぞれ対応する側方ブレースから延びるソケットと、互いに向き合った二つのソケットに差し込まれるとともに、第一の鋳造部品を保持する軸棒とから構成される。上方の横方向ブレースは、それぞれ対応する側方ブレースから延びる延長部と、互いに向き合った二つの延長部に差し込まれるとともに、第二の鋳造部品を保持する軸棒とから構成される。第一のドッキング部分は第二のドッキング部分と、第三のドッキング部分は第四のドッキング部分と、ロック機構を用いて取り外し可能な形で互いに接続される。第一のドッキング部分と第三のドッキング部分は、差込部材として構成される。第二のドッキング部分と第四のドッキング部分は、背面板の裏側から延びるスリーブ部材として実現される。背面板の下方領域には、その前側に垂直にスライドさせることが可能な腰当てが配置される。背面板の裏側には、補強リブと、腰当てを調整するための調整レバーを収容するための区画とが配備される。背面板の表側には、腰当てを案内するための垂直なスロットが在り、この垂直なスロットは、補強リブの推移に追従して、腰領域の上方に延びている。
【０００８】
機械部分は、台座上に据えて固定されたベース部分と、ベース部分と接続された座席部分支持体とから構成される。ベース部分と座席部分支持体の間の接続部分は、先ずは固定された第一の回転軸上と、座席部分の後縁の方を向いた動く第二の回転軸上で実現される。最終的に、ベース部分と座席部分支持体は、座席部分の前縁の方を向いた動く第三の回転軸で接続される。背もたれフレームの延長部は、それぞれ一方の側を第一の回転軸と、他方の側を第二の回転軸と蝶着されたフレーム接続部と固定される。機械部分では、ばね構造群が、背もたれフレームを直立した中立位置に保持するように作用する付勢力を生成する。
【０００９】
背面板は、プラスチックから構成される。背面板の腰領域は、ほぼ使用者の臀部を包み込む曲線傾向を持つ外側側面を有する。ヘッドレストは、その垂直断面において、ほぼ使用者に対して窪んだ曲線傾向を持つ湾曲部を有する。第五の回転軸は、座席部分の前縁の方向に対して、ヘッドレストの上縁の前で、かつ第四の回転軸の前に在る。背面板は、被覆部、有利には、プラスチックから成る発泡体により取り囲まれている。被覆部は、カバーで覆われており、ヘッドレスト用のカバーは、有利には、取り外して交換可能な部分として存在する。
【発明を実施するための最良の形態】
【００１０】
以下においては、添付図面にもとづき、この発明による椅子の実施例の詳しい記述を行う。
【００１１】
次の規定は、これ以降の記述全体に対して適用される。図面の部分を一義的に示すことを目的として、符号が図面に在るが、それに直接対応する記述文において説明されていない場合、先行する図面の記述内でその符号に言及した部分を参照されたい。後続の図面内の構成部分に関して繰り返される符号の大部分は、それが「繰り返される」構成部分であることが図面から明らかに分かる限りにおいて、見易くするために省略している。
【００１２】
［図１Ａ〜１Ｄ］
快適な事務用回転椅子は、基本的に、底部上に据えられた台座１と、その上に置かれた機械部分２（この上には座席部分が取り付けられている）と、背もたれ７と、有利には、調整可能な肘掛け４とから構成される。台座１は、典型的には、先ずは脚部１０、例えば、底部部材１２、有利には、ローラー上に置かれた５本の星型脚部を有する。座席部分３のレベルと同時に付勢力を調整するために、高さ調整用空気ばね１３が、脚部１０の中心の直立パイプ１１内に垂直に差し込まれており、固定されたベース部分２０と旋回可能な座席部分支持体２１とから成る機械部分２を支えている。背もたれ７は、背もたれフレーム５と、背面部分６０及びその上方に繋がるヘッドレスト６１で構成される背もたれ部分６とに分けられる。背もたれ部分６は、前側６０７と後側６０８に区分される。この回転椅子は、垂直回転軸Ｖの周りを通常３６０°回転することができ、負荷の無い状態では、直立した中立位置で静止しており、この位置は、機械部分２内のばね構造群２１１の付勢力によって設定されるとともに、前方への傾斜方向に対してはストッパーによって制限されている。
【００１３】
直立した中立位置は、以下の位置によって規定される。
−座席部分３の位置Ｓ0 、即ち、座席部分３の表面は、少なくともほぼ水平である。
−背もたれフレーム５の位置Ｒ0 、即ち、背もたれフレーム５の側方ブレース５１は、その基本部分に関して、ほぼ垂直に立っている。
−背もたれ部分６の位置Ｂ0 、即ち、背面部分６０とヘッドレスト６１を備えた背もたれ部分６は、ほぼ垂直に、そのため使用者の直立して座った姿勢に対応して立っている。
【００１４】
背もたれフレーム５は、くびき形状の複数箇所で曲がった二つの側方ブレース５１から構成され、これらの側方ブレースは、下方をそれぞれ曲がった部材として形成された機械部分２のフレーム接続部２２と固定されている。フレーム接続部２２は、一方の側を、固定されたベース部分２０に在る第一の回転軸Ｄ１と、他方の側を、旋回可能な座席部分支持体２１の後方領域における第二の回転軸Ｄ２と蝶着されている。ベース部分２０において、第一の回転軸Ｄ１の上で座席部分３の前縁３０の近くには、固定された第三の駆動部Ｄ３が在り、そこには、他方の側がクランクガイド２１２内に延びる二つの継手２３が蝶着されている。座席部分支持体２１の側方には、それぞれ所望の通り椅子に肘掛け４を配備する際にそれを固定するための収容ソケット２５が在る。座席部分支持体２１の窪みには、機械部分２用の復元力を生成するためのばね構造群２１１が配置されている。座席部分支持体２１は、前方部分２１８と、座席部分の前縁３０又は座席部分の後縁３１に隣接した後方部分２１９とに区分される。
【００１５】
フレーム接続部２２に隣接して、二つの側方ブレース５１が、組み合わされた横方向バー５２により互いに接続されている。下方の端部では、各側方ブレース５１が、ほぼ曲がった部材として構成された延長部５０を備えている。各延長部５０は、第一の保持用輪郭５０１と第二の保持用輪郭５０２を有する。座席部分３の上方では、両方の側方ブレース５１の間の第四の回転軸Ｄ４に、第一のドッキング部分５３が蝶着されており、この第一のドッキング部分は、背もたれ部分６の背面板６２の裏側６０８に在る区画６６内に繋がる第二のドッキング部分６７と接続されている。区画６６には、調整レバー６４が差し込まれており、それを用いて、背面板６２の前側６０７に配置された板状の腰当て６５を高さが制限された形でスライドさせることができる。第三のドッキング部分５５を蝶着された第五の回転軸Ｄ５が、両方の側方ブレース５１の上端を通って延びており、この第三のドッキング部分は、背面板６２のヘッドレスト６１の下方領域の裏側６０８から延びる第四のドッキング部分６１０と接続されている。背面板６２は、第五の回転軸Ｄ５の下方に、ヘッドレスト６１用の交換可能なカバー６９’を固定するための固定部品６２０を有する。
【００１６】
背もたれ部分６は、内側に、有利には、プラスチックから成る発泡体で構成された被覆部６８により取り囲まれた弾力性に富む背面板６２を有する。背もたれ部分６は、外側を、例えば、布地、革などから成るカバー６９によって覆われており、そのため内側の被覆部６８は見えない。発泡体に対して腰当て６５がスライド可能であるることを確保するために、腰当ては、予め分離フィルム６３で覆われている。座席部分３には、座席部分支持体２１に固定された座席板３２が在り、その上には、少なくとも前縁３０から後縁３１にまでカバー３９が配備されたクッション３８が在る。肘掛け４は、角度を付けて曲げられた支持アーム４０と、支持アーム４０の垂直部分を包むスリーブ部材４１と、アームレスト４２とから構成される。アームレスト４２の高さを調整するために、垂直部分上でスリーブ部材４１を伸縮自在にスライドさせて、例えば、段階的にロックすることができる。支持アーム４０の水平部分の自由端は、縦長の穴を持つスライド部材４００として配備されており、その結果締付けボルト４９を弛めた後、椅子における両方の肘掛け４の間の幅を調整することが可能である。
【００１７】
［図１Ｅ〜１Ｆ］
椅子に座った使用者が、自分の体重を前方に屈めた書く姿勢又は直立した座った姿勢から後方に移動して、それにより背もたれ部分６の全面に十分な圧力Ｆを加えた場合、その圧力負荷は、背もたれフレーム５に伝えられて、機械部分２のばね構造群２１１の力に対抗して、背もたれ７全体を最大傾斜位置にまで動かすこととなる。第一の回転軸Ｄ１と蝶着された後方に低下した背もたれフレーム５は、第二の回転軸Ｄ２と蝶着された動くフレーム接続部２２によって、旋回可能な座席部分支持体２１の後方部分２１９を後の下方に引っ張る。同時に、他方の側が座席部分支持体２１のクランクガイド２１２内において、その前方部分２１８の方向に延びる、第三の回転軸Ｄ３と蝶着された継手２３が旋回する。内側に背面板６２を配置した背もたれ部分６が、圧力Ｆの作用のために窪む形に変形することによって、第一と第二のドッキング部分５３，６７及び第三と第四のドッキング部分５５，６１０の接続部分は、それぞれ対応する第四の回転軸Ｄ４又は第五の回転軸Ｄ５の周りを互いに旋回する。それによって、使用者の肩領域を保持するための自由空間が生じるとともに、ヘッドレスト６１では、背もたれ７が傾斜して低下したことに対して、ヘッドレスト６１の逆方向への起き上がりが起こる。
【００１８】
最大傾斜位置は、以下の位置によって規定される。
−座席部分３の位置Ｓ1 、即ち、座席部分３の表面が、開始位置Ｓ0 から座席角度βだけ動き、前縁３０が上がり、後縁３１が下がる。
−背もたれフレーム５の位置Ｒ1 、即ち、背もたれフレーム５の側方ブレース５１は、その基本部分に関して、開始位置Ｒ0 から傾斜角度αだけ動く。
−背もたれ部分６の位置Ｂ1 、即ち、背もたれ部分６全体は、後方に傾斜して低下し、その場合背面部分６０の下方区間は、座席部分３の低下した後縁３１に近づき、背面部分６０の回転軸Ｄ４，Ｄ５の間に在る区間は、窪んで、側方ブレース５１に接近し、それによりヘッドレスト６１が起き上がることとなる。
【００１９】
［図２Ａと２Ｂ］
機械部分２には、第二の回転軸Ｄ２の下方の座席部分支持体２１に、座席部分３の前方への傾斜に対する切欠き２８が配備されている。調整レバー１４は、高さ調整用空気ばね１３を操作する役割を果たし、ばね構造群２１１の付勢力は、調整ユニット２４２を用いて調整することができ、座席部分の深さは、調整部品２７を操作して調整する。収容ソケット２５は、支持アーム４０の水平部分４０３の端部である挿入されるスライド部材４００を包み込むための第一と第二のセグメント２５０，２５１を有する。幅を調整するために、スライド部材４００には、縦長の穴４０１が在る。締付けボルト４９のねじ山付シャフトは、第二のセグメント２５１の雌ねじの穴２５３に差し込まれ、この第二のセグメントは、挿入されたスライド部材４００を良好にロックするために、下側に格子部材２５２を有する。支持アーム４０の垂直部分４０５の上方には、肘掛け４のスリーブ部材４１のシャフト４１０が取り付けられている。肘掛け４を装着したくない場合、収容ソケット２５は、美しさの理由からカバーキャップ２５９により閉鎖される。高さ調整用空気ばね１３上に据え付けるために、ベース部分２０には、開口部２００が在る。背もたれフレーム５の延長部５０をフレーム接続部２２とドッキングさせるために、座席部分支持体２１の第二の回転軸Ｄ２の領域には、それぞれ受入貫通穴２１０が設けられている。
【００２０】
［図２Ｃ〜２Ｅ］
側方ブレース５１は、延長部５０の近くに、それぞれ内側を向いたソケット５２０を有し、そして第四と第五の回転軸Ｄ４，Ｄ５上には、それぞれ別のソケット５４０，５６０を有する。機械部分２に背もたれフレーム５を掛ける場合、延長部５０のフック形状の第一の保持用輪郭５０１を、角度を持たせた状態で第二の回転軸Ｄ２に取り付けて、背もたれフレーム５を旋回させ、その結果第二の保持用輪郭５０２は、第一の回転軸Ｄ１に届き、そこでねじによる接続が行われる。
【００２１】
［図３Ａ〜３Ｌ］
両方の側方ブレース５１は、横方向バー５２、中央の横方向ブレース５４及び上方の横方向ブレース５６で背もたれフレーム５と繋ぎ合わされており、その場合延長部５０は、側方ブレース５１の下方端部に置かれることとなる。背面板６２は、背もたれフレーム５と取り外し可能な形でドッキングされている。前側６０７では、腰領域６０３に、垂直に延びる二つのスリット６０６が在り、その中に、板状の腰当て６５が、高さをスライド可能な形で案内されている。側面６０４は、使用者の臀部を包み込む曲線傾向を有する。背面板６２は、背面部分６０とそれに対して上方に繋がったヘッドレスト６１とで構成され、ヘッドレストには、第三のドッキング部分５５と接続された第四のドッキング部分６１０が在る。その下方には、ヘッドレスト６１用のカバー６９’を取り外し可能な形で取り付けるための二つの固定部品６２０が、前側６０７から突き出ている。
【００２２】
下方のソケット５２０は、そこに差し込まれる橋架部材５２１を用いて互いに接続されて、ボルト５２９により止められる。第四の回転軸Ｄ４が中を通って延びる中央の横方向ブレース５４は、ソケット５４０、軸棒５４１、そこに差し込まれる鋳造部品５４３及びブシュ５４２から構成される。ボルト５４９は、横方向ブレース５４を組み止める役割を果たす。回転可能な形で軸支された第一の鋳造部品５４３からは、ロック機構５３１を有する第一のドッキング部分５３が延びている。第五の回転軸Ｄ５が中を通って延びる上方の横方向ブレース５６は、ソケット５６０、軸棒５６１、そこに差し込まれる第二の鋳造部品５６３及びブシュ５６２から構成される。ボルト５６９は、横方向ブレース５６を組み止める役割を果たす。回転可能な形で軸支された第二の鋳造部品５６３からは、ロック機構５５１，５５２を有する第三のドッキング部分５５が延びている。
【００２３】
組み上がった状態では、第三のドッキング部分５５は、第四のドッキング部分６１０に差し込まれるとともに、ロック機構５５１，５５２によってロックされている。背面板６２の裏側６０８では、腰領域６０３に、調整レバー６４を収容するための区画６６が配置されており、調整レバーは、そのタペット６４０を腰当て６５のタペット６５０と係合させて、腰当てをスライドさせる役割を果たす。区画６６からは、ロック機構５３１を備えた第一のドッキング部分５３を収容するための第二のドッキング部分６７が突き出ており、その中には、ロック機構６７１が在る。同様に、裏側６０８では、第四のドッキング部分６１０が、首領域６１３から突き出ている。裏側６０８では、区画６６と第四のドッキング部分６１０の両側に、補強リブ６０９が延びており、その中には、垂直なスリット６０６が走っている。第二のドッキング部分６７と第四のドッキング部分６１０は、表側６０７で開口部６０５，６１０として繋がっている。背面板６２は、有利には、発泡プラスチックから成る被覆部６８によって取り囲まれている。この発泡体の前では、差し込まれた腰当て６５が、腰当て６５がスライド可能であることを確保するために、分離フィルム６３によって覆われている。被覆部６８の上方には、例えば、布地又は革から成るカバー６９が引き回されている。
【００２４】
背面板６２は、背面部分６０とその上に繋がるヘッドレスト６１に分けられる。第四のドッキング部分６１０の下方には第一の区間６１１が、上方には第二の区間６１２が在り、第一の区間６１１は、第二の区間６１２の隣接する部分と共に首領域６１３を構成する。第二のドッキング部分６７の下方には、第二の区間６０２が、その上方には第一の区間６０１が在り、第二の区間６０２は、第一の区間６０１の隣接する部分と共に腰領域６０３を構成する。
【００２５】
使用者が、自分の体重を背もたれ７に対して、特に、腰領域６０３の上方に押し付けた場合、背もたれは、最大傾斜位置Ｂ1 にまで動き、背もたれ部分６０が、主として腰領域６０３の上方において、背もたれフレーム５との間の自由空間内に弾力的に変形して、ほぼ使用者の背中に対して窪んだ曲線傾向を持つこととなる。背面部分６０に対する圧力の強さに応じて、背面部分６０のヘッドレスト６１への遷移ゾーンとしての肩領域とヘッドレスト６１の逆方向への起き上がりが起こる。その場合、第一と第二のドッキング部分５３，６７の接続部分が、第四の回転軸Ｄ４の周りを上方に動くとともに、第三と第四のドッキング部分５５，６１０の接続部分が、第五の回転軸Ｄ５の周りを下方に動く。
【図面の簡単な説明】
【００２６】
【図１Ａ】この発明による椅子の肘掛けを備えた事務用回転椅子の形態での直立した中立位置の前方からの斜視図
【図１Ｂ】図１Ａの椅子の基本構成部分の分解斜視図
【図１Ｃ】図１Ａの椅子の肘掛けの無い状態での中立位置の側面図
【図１Ｄ】図１Ｃで座席部分、背もたれフレーム及び背もたれ部分の位置関係を示す図面
【図１Ｅ】図１Ａの椅子の肘掛けの無い状態での最大傾斜位置の側面図
【図１Ｆ】図１Ｅで座席部分、背もたれフレーム及び背もたれ部分の位置関係を示す図面
【図２Ａ】図１Ｂの機械部分の片側に肘掛けを嵌め込んだ状態での前方上側からの斜視図
【図２Ｂ】図１Ｂの機械部分の片側にカバーキャップを被せた状態での後方下側からの斜視図
【図２Ｃ】図１Ｂの機械部分の旋回可能な座席部分支持体の原理を示すための背もたれフレームの側方ブレースに接近して後方下側からの斜視図
【図２Ｄ】図２Ｃによる原理図の垂直断面図
【図２Ｅ】図２Ｄによる原理図の完全な機械部分とそこに側方ブレースを完全に掛けた状態での垂直断面図
【図３Ａ】図１Ｂの背もたれの被覆部の無い状態での前方からの斜視図
【図３Ｂ】図３Ａの背もたれの側面図
【図３Ｃ】図３Ａの背もたれで背もたれ部分の被覆部を大まかに示した状態での分解斜視図
【図３Ｄ】図３Ｃの背もたれフレームの組み立てた状態の前方からの斜視図
【図３Ｅ】図３Ｄの背もたれフレームで背もたれ部分を掛けて腰当てを取り外した状態の後方からの斜視図
【図３Ｆ】図３Ｅの背面板の区間毎に区分した後方からの斜視図
【図３Ｇ】図３Ｆの背面板の区間毎に区分した側面図
【図３Ｈ】図１Ｃの背もたれ部分の直立した中立位置での区間毎に区分した拡大図
【図３Ｊ】図１Ｅの背もたれ部分の最大傾斜位置での区間毎に区分した拡大図
【図３Ｋ】図３Ｂの細部の１倍での拡大図
【図３Ｌ】図３Ｂの細部の２倍での拡大図
【図１Ａ】
2009509592.tif 000003
【図１Ｂ】
2009509592.tif 000004
【図１Ｃ】
2009509592.tif 000005
【図１Ｄ】
2009509592.tif 000006
【図１Ｅ】
2009509592.tif 000007
【図１Ｆ】
2009509592.tif 000008
【図２Ａ】
2009509592.tif 000009
【図２Ｂ】
2009509592.tif 000010
【図２Ｃ】
2009509592.tif 000011
【図２Ｄ】
2009509592.tif 000012
【図２Ｅ】
2009509592.tif 000013
【図３Ａ】
2009509592.tif 000014
【図３Ｂ】
2009509592.tif 000015
【図３Ｃ】
2009509592.tif 000016
【図３Ｄ】
2009509592.tif 000017
【図３Ｅ】
2009509592.tif 000018
【図３Ｆ】
2009509592.tif 000019
【図３Ｇ】
2009509592.tif 000020
【図３Ｈ】
2009509592.tif 000021
【図３Ｊ】
2009509592.tif 000022
【図３Ｋ】
2009509592.tif 000023
【図３Ｌ】
2009509592.tif 000024
【国際調査報告】
2009509592.tif 000025
2009509592.tif 000026
2009509592.tif 000027
2009509592.tif 000028